(57)【要約】【課題】展開して使用する容器を提供する。【解決手段】容器は、底部、複数の第一折面、複数の第二折面および複数の固定用折面から構成される。複数の第一折面は底部との連結箇所に位置する第一折り線に沿って谷折りで折られることで周壁および格納空間を形成する。複数の第二折面は第二折り線に沿って外側に折られて複数の第一折面からなる周壁の外側に重なる。複数の固定用折面は第三折り線に沿って被せ折りで折られて複数の第一折面からなる周壁の外側に重なる。上述した構造特徴により、容器に食べ物を盛り、続いて容器を展開させて皿状にして容器内の食べ物を取ることができる。【選択図】  図１
2019048668.tif 000002
【特許請求の範囲】
【請求項１】
底部、複数の第一折面、複数の第二折面および複数の固定用折面から構成され、
複数の前記第一折面は一端が前記底部に連結され、前記底部との連結箇所に第一折り線を有し、
二つずつの前記第一折面は一つの前記第二折面によって連結され、複数の前記第一折面および複数の前記第二折面は二つずつ交差するように配置され、  
複数の前記第二折面は第二折り線を有し、前記第二折り線は二つの隣り合う前記第一折り線と前記底部との連結箇所から径方向に沿って伸びて形成され、
複数の前記第一折面は他端が前記固定用折面に連結され、複数の前記固定用折面は連結部を有し、
複数の前記第一折面は前記底部との連結箇所に位置する前記第一折り線に沿って二つずつ互いに接触するするように谷折りで折られることで周壁および格納空間を形成し、
複数の前記第二折面は前記第二折り線に沿って外側に折られることで重なる部位を形成し、続いて前記第一折面に連結された長辺に沿って時計回りまたは反時計回りに折られて複数の前記第一折面からなる前記周壁の外側に重なり、
複数の前記固定用折面は前記連結部が隣り合う前記固定用折面に連結されることによって開口部を形成することを特徴とする容器。
【請求項２】
複数の前記固定用折面は、第三折り線に沿って被せ折りで折られて前記第一折面からなる前記周壁の外側に重なって固定されることを特徴とする請求項１に記載の容器。
【請求項３】
複数の被せ折りで折られた前記固定用折面は、前記連結部によって隣り合う別の前記固定用折面の内側に嵌まり込んで環状に連結されることを特徴とする請求項２に記載の容器。
【請求項４】
被せ折りで折られた前記固定用折面は前記重なる部位の上方辺縁部に当接することを特徴とする請求項１に記載の容器。
【請求項５】
前記固定用折面は格納溝を有することを特徴とする請求項１に記載の容器。
【請求項６】
前記連結部は嵌合部材を有し、前記嵌合部材は別の隣り合う前記固定用折面の前記格納溝に嵌まり込んで環状に連結されることを特徴とする請求項５に記載の容器。
【請求項７】
前記格納溝は内径の比較的大きい嵌合部を有し、前記嵌合部材は前記格納溝の内径が比較的大きい前記嵌合部に嵌まり込むことを特徴とする請求項６に記載の容器。
【請求項８】
底部、複数の第一折面、複数の第二折面および複数の固定用折面から構成され、
複数の前記第一折面は一端が前記底部に連結され、前記底部との連結箇所に第一折り線を有し、
複数の前記第二折面は翼部および副翼部からなり、複数の前記第一折面は長辺が前記第二折面の前記翼部の長辺に連結され、別の長辺が別の前記第二折面の前記副翼部の長辺に連結されることによって一つの前記第二折面を二つの前記第一折面の間に連結し、複数の前記第一折面および複数の前記第二折面は二つずつ交差して前記底部に環状に配置され、
複数の前記第二折面は前記翼部と前記副翼部の相互に連結された長辺に第二折り線を有し、前記第二折り線は二つの隣り合う前記第一折面と前記底部との連結箇所から径方向に沿って伸びて形成され、
複数の前記第一折面は別の短辺が前記固定用折面に連結され、前記固定用折面との連結箇所に第三折り線を有し、
複数の前記第一折面は前記底部との連結箇所に位置する前記第一折り線に沿って二つずつ互いに接触するように谷折りで折られることで周壁および格納空間を形成し、
複数の前記第二折面は前記第二折り線に沿って外側に折られて前記副翼部を前記翼部に重ね、続いて前記第一折面に連結された長辺に沿って時計回りまたは反時計回りに折られて複数の前記第一折面からなる前記周壁の外側に重なることを特徴とする容器。
【請求項９】
複数の前記固定用折面は第三折り線に沿って被せ折りで折られることで突出部を形成し、前記突出部は二つずつ相互に当接して開口部を形成し、前記周壁の外側に固定されることを特徴とする請求項８に記載の容器。
【請求項１０】
前記開口部から前記第二折面の前記翼部の末端部までの距離は第一仮想距離と定義され、前記開口部から前記第二折面の前記副翼部の末端部までの距離は第二仮想距離と定義され、前記第一仮想距離は前記第二仮想距離より小さいことを特徴とする請求項９に記載の容器。
【発明の詳細な説明】
【技術分野】
【０００１】
本発明は、容器に関し、詳しくは折り線に沿って折って組み立てる容器に関するものである。
【背景技術】
【０００２】
時代が進むにつれてファストフード産業および外食産業が迅速に発展してきた。料理を持ち帰る際、使い捨て容器に料理を盛ることが一般的であるが、持って帰った料理を美味しそうに見せ、取り分けやすくするために料理を容器から皿に盛り直さなければならず、使用上非常に不便である。
【０００３】
立体容器を製作する際、よく見掛けられる製作方法はコーナーを折り込む方式によって容器の開口部を縮減することである。しかしながら容器の強度を増大させるために折り込んだ部位を接着して固定する必要がある。例えば特許文献１は円形板紙（符号１０）を折って多辺形紙椀を組み立てることを掲示した。円形板紙（符号１０）は中央部位に形成された円形底部（符号１１）と、円形底部（符号１１）の外部に連結された多辺形（符号１２）とを有する。多辺形（符号１２）は角から外側へ伸びて形成された複数の折り線（符号１３）を有し、かつ相互に一定距離を保って環状に並んで複数の押さえ部位（符号１４）および複数の粘着部位（符号１５）を構成する。押さえ部位（符号１４）は外側に伸びて突出した辺縁部（符号１６）を有する。辺縁部（符号１６）と押さえ部位（符号１４）との間には折り目（符号１７）が形成される。多辺形紙椀を製作する際、粘着部位（符号１５）の一端に接する押さえ部位（符号１４）の後方に粘着部位（符号１５）を折り線（符号１３）に沿って折って複数の押さえ部位（符号１４）および複数の粘着部位（符号１５）の相互に接する端部を重ねて粘着すれば、底部と椀の周壁が多辺形を呈する多辺形紙椀が完成する。しかしながら、上述した容器を粘着方式によって固定しないと使用できないことと、粘着した後復元できないことが該案の欠点である。
【０００４】
特許文献２は該案の図１および図２に示すように折って深さの大きいまたは小さい容器を組み立てることを掲示した。容器は一体成型された底部（符号１２Ｄ）と、一定角度で折り込んで螺旋状に成形した側面部（符号４）とを有する。上述したとおり折って組み立てれば使用できる。上述した容器は一定角度で曲げられて深さの大きいまたは小さいように組み立てられる。言い換えれば、一定角度で曲げないと上述した容器を完成させることができない。一方、折って容器を組み立てた後、容器を強化および固定しないと、容器に盛った食べ物が溢れてこぼれることを抑制できない。つまり、容器に食べ物を盛る際、容器の周りの部位の強度が足りないため、使用に不便である。
【先行技術文献】
【特許文献】
【０００５】
【特許文献１】台湾実用新案Ｍ２５５２３３号公報「多辺形紙椀の構造」
【特許文献２】米国ＵＳ−９，０４５，２４６  Ｂ２号公報「Container usable as a deep bottom and shallow bottom type container, and manufacturing method thereof」
【発明の概要】
【発明が解決しようとする課題】
【０００６】
本発明は、被せ折りに折る固定用折面を有し、かつ展開して使用することができる容器を提供することを主な目的とする。展開して使用する容器は組み立てられた容器に食べ物を盛る際の安全性および利便性を向上させ、かつ組み立てられた後、展開してお皿になることによって容器中の食べ物を取る際の利便性をはかることができる、即ち本発明により掲示された技術特徴、効果および目的を達成することができる。
【課題を解決するための手段】
【０００７】
上述した課題を解決するため、展開して使用する容器は、底部、三つまたは三つ以上の複数の第一折面、複数の第二折面および複数の固定用折面から構成される。
【０００８】
第一折面は一端が底部に連結され、底部との連結箇所に第一折り線を有する。二つずつの第一折面は一つの第二折面によって連結される。複数の第一折面および複数の第二折面は二つずつ交差するように配置される。第二折面は第二折り線を有する。第二折り線は二つの第一折り線と底部との連結箇所から径方向に沿って伸びて形成される。第一折面は他端が固定用折面に連結され、固定用折面との連結箇所に第三折り線を有する。
【０００９】
第一折面は底部との連結箇所に位置する第一折り線に沿って二つずつ互いに接触するするように谷折りで折られることで周壁および格納空間を形成する。第二折面は第二折り線に沿って外側に折られることで重なる部位を形成し、続いて第一折面に連結された長辺に沿って時計回りまたは反時計回りに折られて第一折面からなる周壁の外側に重なる。固定用折面は第三折り線に沿って被せ折りで折られて第二折面の重なる部位および第一折面からなる周壁に重なる。或いは、固定用折面は第二折面の重なる部位に当接し、第一折面から周壁の外側に重なる。
【００１０】
比較的好ましい場合、第二折面は鳶形である。第二折面の第二折り線は鳶形の対角線である。
【００１１】
比較的好ましい場合、固定用折面は連結部が隣り合う別の固定用折面に嵌まり込んで環状に連結されることによって開口部を形成する。
【００１２】
上述した課題を解決するため、もう一つの展開して使用する容器は、底部、複数の第一折面、複数の第二折面および複数の固定用折面から構成される。
【００１３】
第一折面は一端が底部に連結され、底部との連結箇所に第一折り線を有する。第二折面は翼部および副翼部からなる。第一折面は長辺が第二折面の翼部の長辺に連結され、別の長辺が第二折面の副翼部の長辺に連結されることによって第二折面を二つの第一折面の間に連結する。複数の第一折面および複数の第二折面は二つずつ交差して底部に環状に配置される。第二折面は翼部と副翼部の相互に連結された長辺に第二折り線を有する。第二折り線は二つの隣り合う第一折面と底部との連結箇所から径方向に沿って伸びて形成される。第一折面は別の短辺が固定用折面に連結され、固定用折面との連結箇所に第三折り線を有する。
【００１４】
第一折面は底部との連結箇所に位置する第一折り線に沿って二つずつ互いに接触するように谷折りで折られることで周壁および格納空間を形成する。第二折面は第二折り線に沿って外側に折られて副翼部を翼部に重ね、続いて第一折面に連結された長辺に沿って時計回りまたは反時計回りに折られて第一折面からなる周壁の外側に重なる。
【００１５】
比較的好ましい場合、固定用折面は第三折り線に沿って被せ折りで折られることで突出部を形成する。突出部は二つずつ相互に当接して開口部を形成し、容器の周壁の外側に固定される。
【００１６】
比較的好ましい場合、固定用折面の突出部は下方辺部が第二折面の副翼部の上方辺部に当接し、末端部が第二折面の翼部の一側を押さえる。
【図面の簡単な説明】
【００１７】
【図１】本発明の第１実施形態による容器が展開した状態を示す平面図である。
【図２】本発明の第１実施形態による容器が組み立てられた状態を示す斜視図である。
【図３】図２中の３−３線に沿った断面図である。
【図４】本発明の第２実施形態による容器が展開した状態を示す平面図である。
【図５】本発明の第２実施形態による容器が組み立てられた状態を示す斜視図である。
【図６】図５中の６−６線に沿った断面図である。
【図７】本発明の第３実施形態による容器が展開した状態を示す平面図である。
【図８】本発明の第３実施形態による容器が組み立てられた状態を示す斜視図である。
【図９】図８中のＣ−Ｃ線に沿った断面図である。
【発明を実施するための形態】
【００１８】
（第１実施形態）
図１から図３に示すように、本発明の第１実施形態による容器１０は、底部２０、八つの第一折面３０、八つの第二折面４０および八つの固定用折面５０から構成される。
【００１９】
底部２０は八辺形である。八つの第一折面３０は形と大きさが同じ矩形であり、底部２０に環状に配列される。八つの第二折面４０は形が同じ鳶形である。本発明の技術特徴は上述に限定されない。
【００２０】
八つの第一折面３０は形と大きさが同じ矩形であり、一端（即ち矩形の短辺）が底部２０に連結され、底部２０との連結箇所に第一折り線３１を有する。
【００２１】
二つずつの第一折面３０は第二折面４０によって連結されるため、第一折面３０および第二折面４０は二つずつ交差するように配置される。比較的好ましい場合、二つずつの第一折面３０の間の長辺は第二折面４０の鳶形の長辺に連結される。八つの第二折面４０はそれぞれ第二折り線４１を有する。第二折り線４１は二つの第一折り線３１と底部２０との連結箇所から径方向に沿って伸びて形成される。比較的好ましい場合、第二折面４０の第二折り線４１は鳶形の対角線である。
【００２２】
第一折面３０は他端（即ち矩形の短辺）が固定用折面５０に連結され、固定用折面５０との連結箇所に第三折り線５１を有する。比較的好ましい場合、固定用折面５０は連結部５３を有する。
【００２３】
第１実施形態は数が八つの第一折面、第二折面および固定用折面を例として説明する。つまり、第１実施形態において、第一折面３０、第二折面４０および固定用折面５０は数が八つであるが、これに限定されず、三つまたは八つでもよい。図１に示すように、容器１０が展開して皿状になる場合、容器１０を皿として食べ物を盛ることができる。容器１０を組み立てるステップは下記の通りである。
【００２４】
図２に示すように、第一折面３０と底部２０との連結箇所に位置する第一折り線３１に沿って第一折面３０を谷折りで折って第一折面３０を二つずつ互いに接触させて周壁１１および格納空間１３を形成する。格納空間１３は容器１０の周壁１１および底部２０から囲まれて形成される。続いて第二折り線４１に沿って第二折面４０を外側に折って重なる部位４３を形成し、そののち第一折面３０に連結された長辺に沿って重なる部位４３を時計回りまたは反時計回りに曲げ、第一折面３０からなる容器１０の周壁１１の外側に重ねる。続いて、第三折り線５１に沿って固定用折面５０を被せ折りで折ると同時に固定用折面５０を第一折面３０からなる容器１０の周壁１１の外側に固定する。比較的好ましい場合、固定用折面５０を被せ折りで折って連結部５３を別の隣り合う固定用折面５０の内側に嵌め込んで環状に連結すれば、容器１０の開口部１５を形成し、図３に示すように、被せ折りで折った固定用折面５０を重なる部位４３の上方辺縁部に当接させることができる。上述したとおり、組み立てられた容器１０の格納空間１３に食べ物または飲み物を入れることができる。つまり、本発明の容器１０を組み立てる技術特徴、効果および目的を達成することができる。
【００２５】
（第２実施形態）
図４から図６に示すように、本発明の第２実施形態は構造がほぼ第１実施形態と同じである。第１実施形態との違いは下記のとおりである。
【００２６】
第２実施形態において、固定用折面５０は格納溝５２を有する。格納溝５２は内径の比較的大きい嵌合部５２１を有する。連結部５３は嵌合部材５５を有する。嵌合部材５５は外径が格納溝５２より大きく、嵌合部５２１より小さい。嵌合部材５５は別の隣り合う固定用折面５０の格納溝５２の内径が比較的大きい嵌合部５２１に嵌め込まれて環状に連結されることで容器１０の開口部１５を形成する。図５に示すように、被せ折りで折った固定用折面５０は重なる部位４３の上方辺縁部に当接できるため、本発明によって組み立てられた容器１０の効果を発揮することができる。一方、任意の一つの固定用折面５０の連結部５３を別の隣り合う固定用折面５０の内側から逸脱させればほかの固定用折面５０が順番に展開するため、容器１０を展開させる際の利便性をはかることができる。
【００２７】
上述をまとめてみると、本発明の特徴は下記のとおりである。
【００２８】
１、組み立てられた容器または展開した容器は全体性および美観を保つため、容器１０に蓋を被せればある程度の密封効果を発揮できる。
【００２９】
２、容器を折って生じた痕跡および弧度は展開した容器の折り線および美観を変化させることができる。
【００３０】
３、本発明は全体表面が平坦な材料で容器を製作できるだけでなく、成形した容器の底部に底部を増設し、底部を強化することができる。また異なる材料で周壁および底部を別々に製作することができる。例えば市販の使い捨て食器の底部は別の材料を粘着およびプレス加工することによって製作される。
【００３１】
上述したとおり、本発明において、開口部に位置する固定用折面を被せ折りで折れば、固定用折面が重なる部位の上方辺縁部に当接するため、重なる部位は容器の外側縁部に付着し、容器の外側縁部から剥離することがない。また固定用折面を簡単に折り返すため、容器を展開させて使用する際の利便性を有する。
【００３２】
（第３実施形態）
図７から図９に示すように、本発明の第３実施形態による容器１０Ａは底部２０Ａ、八つの第一折面３０Ａ、八つの第二折面４０Ａおよび八つの固定用折面５０Ａから構成される。
【００３３】
底部２０Ａは八辺形である。
【００３４】
八つの第一折面３０Ａは形と大きさが同じ矩形であり、短辺が底部２０Ａに連結され、底部２０Ａとの連結箇所に第一折り線３１Ａを有する。
【００３５】
それぞれの第二折面４０Ａは翼部４１Ａおよび副翼部４３Ａからなる。第一折面３０Ａは長辺が第二折面４０Ａの翼部４１Ａの長辺に連結され、別の長辺が第二折面４０Ａの副翼部４３Ａの長辺に連結されることによって第二折面４０Ａを二つの第一折面３０Ａの間に連結する。八つの第一折面３０Ａおよび八つの第二折面４０Ａは二つずつ交差するように配置される。第二折面４０Ａは翼部４１Ａと副翼部４３Ａの相互に連結された長辺に第二折り線４５Ａを有する。第二折り線４５Ａは二つの隣り合う第一折面３０Ａと底部２０Ａとの連結箇所から径方向に沿って伸びて形成される。比較的好ましい場合、第二折面４０Ａにおいて、翼部４１Ａの全体面積は副翼部４３Ａの全体面積より大きい。
【００３６】
第一折面３０Ａは別の短辺が固定用折面５０Ａに連結され、固定用折面５０Ａとの連結箇所に第三折り線５１Ａを有する。
【００３７】
第３実施形態は数が八つの第一折面３０Ａ、第二折面４０Ａおよび固定用折面５０Ａを例として説明する。つまり、第３実施形態において、第一折面３０Ａ、第二折面４０Ａおよび固定用折面５０Ａは数が八つであるが、これに限定されず、三つ、四つ、五つ、六つ、七つまたは十個でもよい。
【００３８】
図７に示すように、容器１０Ａが展開して皿状になる場合、容器１０Ａを皿として食べ物を盛ることができる。
【００３９】
図８および図９に示すように、容器１０Ａを組み立てて使用する際、まず第一折面３０Ａと底部２０Ａとの連結箇所に位置する第一折り線３１Ａに沿って第一折面３０Ａを谷折りで折って第一折面３０Ａを二つずつ互いに接触させることで周壁１１Ａおよび格納空間１３Ａを形成する。格納空間１３Ａは容器１０Ａの周壁１１Ａおよび底部２０Ａから囲まれて形成される。続いて第二折り線４５Ａに沿って第二折面４０Ａを外側に折って第二折面４０Ａの副翼部４３Ａを翼部４１Ａに重ね、そののち第一折面３０Ａに連結された長辺に沿って第二折面４０Ａの副翼部４３Ａおよび翼部４１Ａを時計回りまたは反時計回りに曲げて第一折面３０Ａからなる周壁１１Ａの外側に重ねる。上述した構造により、食べ物または飲み物を容器１０Ａの格納空間１３Ａに入れることができる。一方、二つずつの突出部５３Ａを互いに当接させて容器１０Ａの開口部１５Ａを形成することができるため、容器１０Ａをコップとして使用することができる。
【００４０】
続いて、第三折り線５１Ａに沿って固定用折面５０Ａを被せ折りで折って突出部５３Ａを形成し、同時に第一折面３０Ａからなる容器１０Ａの周壁１１Ａの外側に重ねる。比較的好ましい場合、固定用折面５０Ａの突出部５３Ａは下方辺部が第二折面４０Ａの副翼部４３Ａの上方辺部に当接し、末端部が第二折面４０Ａの翼部４１Ａの一側を押さえる。一方、容器１０Ａの開口部１５Ａから第二折面４０Ａの翼部４１Ａの末端部までの距離は第一仮想距離Ｄ１と定義される。容器１０Ａの開口部１５Ａから第二折面４０Ａの副翼部４３Ａの末端部までの距離は第二仮想距離Ｄ２と定義される。第一仮想距離Ｄ１が第二仮想距離Ｄ２より小さければ好ましい。
【符号の説明】
【００４１】
１０、１０Ａ：容器、  
１１、１１Ａ：周壁、
１３、１３Ａ：格納空間、
１５、１５Ａ：開口部、
２０、２０Ａ：底部、
３０、３０Ａ：第一折面、
３１、３１Ａ：第一折り線、
４０、４０Ａ：第二折面、
４１：第二折り線、
４１Ａ：翼部、
４３：重なる部位、
４３Ａ：副翼部、
４５Ａ：第二折り線、
５０、５０Ａ：固定用折面、
５１、５１Ａ：第三折り線、
５２：格納溝、
５２１：嵌合部、
５３：連結部、
５３Ａ：突出部、
５５：嵌合部材
【図１】
2019048668.tif 000003
【図２】
2019048668.tif 000004
【図３】
2019048668.tif 000005
【図４】
2019048668.tif 000006
【図５】
2019048668.tif 000007
【図６】
2019048668.tif 000008
【図７】
2019048668.tif 000009
【図８】
2019048668.tif 000010
【図９】
2019048668.tif 000011